(57)【特許請求の範囲】
【請求項１】
入浴者の上半身を凭れ掛けさせた状態で、入浴者の上半身にジェット噴流を行うジェット噴流器付き風呂において、入浴者の上半身側に位置する浴槽の凹部側面には、入浴者の上半身を凭れ掛けさせる上半身用傾斜面が形成され、しかも、上半身用傾斜面に対向する浴槽の凹部側面には、入浴者の両足の足用載置部が突設され、さらに、上半身用傾斜面の上部には、入浴者の頭部の頭部用載置部が設けられると共に、上半身用傾斜面の左側及び右側にはそれぞれ手すりが取り付けられ、且つ、上半身用傾斜面の下部には、複数の上半身用ジェット噴流器が設けられてなり、そしてさらに足用載置部は、足用載置部に載置された足裏と、該足裏に対向する浴槽の凹部側面とが略平行する高さを有し、足裏に対向する浴槽の凹部側面には、複数の足裏用ジェット噴流器が設けられてなることを特徴とするジェット噴流器付き風呂。
【請求項２】
上半身用傾斜面の角度が、水平線に対して４０度〜７０度の範囲であることを特徴とする請求項１に記載のジェット噴流器付き風呂。
【請求項３】
上半身用傾斜面に対してジェット噴流器の噴出口の軸線が垂直になるように埋設されてなることを特徴とする請求項１又は２に記載のジェット噴流器付き風呂。
【請求項４】
浴槽の開口部から上半身用傾斜面の上端部に向けて下降傾斜した洗浄用傾斜面が形成されてなることを特徴とする請求項１乃至３のいずれか１項に記載のジェット噴流器付き風呂。
【請求項５】
浴槽の上半身用傾斜面において入浴者の入浴姿勢をとるための空間を確保すべく上半身用傾斜面の下端部に切欠部が形成されてなることを特徴とする請求項１乃至４のいずれか１項に記載のジェット噴流器付き風呂。
【請求項６】
浴槽の底部には、気泡生成器又は複数のジェット噴流器のいずれか一方が設けられてなることを特徴とする請求項１乃至５のいずれか１項に記載のジェット噴流器付き風呂。
【発明の詳細な説明】
【０００１】
【発明の属する技術分野】
本発明は、入浴者をリラックスさせた姿勢で、入浴者の身体にジェット噴流を行うジェット噴流器付き風呂に関する。
【０００２】
【従来の技術】
従来、ジェット噴流器付き風呂は、例えば、特開２００１−１９８０３０号に示すように、仰向けに寝た状態で入浴できるように浴槽の深さが浅めに設定されると共に、浴槽の底部にジェット噴流器が複数配設されている。さらに、浴槽には、入浴者の頭部及び両手が支持できるように枕及び手すりが取り付けられている。
【０００３】
そして、浴槽の底部の各ジェット噴流器から入浴者に向かってジェット噴流が行われ、このジェット噴流によって、浴槽内において入浴者を浮遊した状態にさせてリラックスさせると共に、マッサージも行っている。
【０００４】
【発明が解決しようとする課題】
前記ジェット噴流器付き風呂の場合、浴槽の深さが比較的浅めなため、入浴者が仰向けに寝た状態で入浴した際、浴槽の凹部底面によって略水平に支持される入浴者の胴部及び下半身に対して、入浴者の頭部及び頸部は、枕によってやや傾斜した状態で支持されることになる。しかも、入浴者の頭部は、浴槽の湯面から充分に露出させる必要があるため、入浴者の胴部の背筋に対して頸部の首筋の傾斜は少しきつくなる。よって、入浴者は、下顎を若干引いた状態で入浴していると考えられる。この状態において、浴槽の底部からのジェット噴流で首筋を支点として入浴者の身体を浮遊させたとすれば、下顎が首筋に近接し、下顎によって首筋を圧迫することになり、息苦しくなる。
【０００５】
さらに、入浴者の身体を浮遊させた場合、胴部は浮遊したとしても、両脚は浮遊しているとは考えにくい。また、左右の手すりは、浮遊した状態の入浴者の身体をバランスよく支持するための補助的な役割を果たすのみである。しかも、首筋が背筋に比して短いため、首筋のみを支点として下顎と首筋との距離を調整すれば、入浴者の頭部は仰け反る状態になり、首筋に掛かる負担が大きくなるのは免れず、この状態を所要時間保持するのは困難であり、リラックスしているとは考えにくい。
【０００６】
入浴者の首筋の負担を軽減するには、首筋及び背筋を利用して下顎と首筋との距離を調整することが必要になるが、前記ジェット噴流器付き風呂の場合、入浴者の背筋は、浴槽の凹部側面及び凹部底面によって浴槽の凹部底面側への回動が規制されているため、浴槽の湯面側への回動のみ可能になる。また、浴槽の湯面側に回動しすぎると、入浴者の上半身や下半身の一部が湯面から露出し、見苦しくなる場合もある。
【０００７】
よって、現状において、首筋及び背筋を利用して下顎と首筋との距離を調整しようとすれば、入浴者は、両脚の膝を曲げ両足の裏を浴槽の底面に着けると共に、手すりを把持しながら胴部を若干持ち上げて浴槽の底面から離間させることになると推察される。
【０００８】
この姿勢も、上記と同様に、かなり窮屈で且つ不安定であるため、リラックスしているとは考えにくく、新陳代謝が活発になるまでこの姿勢を継続するのは困難である。しかるに、下顎の離間した状態を維持して両脚を伸ばせば、下顎と首筋との距離が大きくなり、入浴者の頭部が仰け反る状態になる。一方、下顎の離間した状態を維持することなく両脚を伸ばせば、下顎が首筋に近接して、下顎が首筋を圧迫した状態になる。
【０００９】
したがって、前記ジェット噴流器付き風呂の場合、仰向けに寝た状態で首筋を支点として入浴者の身体を単に浮遊させても、入浴者の全身をバランスよくリラックスさせることができず、充分な効果は得にくいという問題がある。寝具においては、仰向けに寝た状態は保持しやすくリラックスすることになるが、浴槽においては、仰向けに寝た状態が必ずしもリラックスしているとはいえず、寛いで入浴できる手段を模索する必要がある。
【００１０】
そこで、本発明は上記問題点に鑑み、全身をバランスよくリラックスした状態で入浴でき、新陳代謝の活発化や血行促進が充分に図れると共に、精神的な開放感も充分に得られるジェット噴流器付き風呂を提供することを目的とする。
【００１１】
【課題を解決するための手段】
上記課題を解決するために、本発明のジェット噴流器付き風呂は、請求項１に示す如く、
入浴者の上半身を凭れ掛けさせた状態で、入浴者の上半身にジェット噴流を行うジェット噴流器付き風呂において、入浴者の上半身側に位置する浴槽の凹部側面には、入浴者の上半身を凭れ掛けさせる上半身用傾斜面が形成され、しかも、上半身用傾斜面に対向する浴槽の凹部側面には、入浴者の両足の足用載置部が突設され、さらに、上半身用傾斜面の上部には、入浴者の頭部の頭部用載置部が設けられると共に、上半身用傾斜面の左側及び右側にそれぞれ手すりが取り付けられ、且つ、上半身用傾斜面の下部には、複数の上半身用ジェット噴流器が設けられてなり、そしてさらに足用載置部は、足用載置部に載置された足裏と、該足裏に対向する浴槽の凹部側面とが略平行する高さを有し、足裏に対向する浴槽の凹部側面には、複数の足裏用ジェット噴流器が設けられてなるものである。
【００１２】
例えば、入浴者が仰向けの状態で入浴する場合、入浴者は、上半身を浴槽の上半身用傾斜面に凭れ掛けさせると共に、頭部を頭部用載置部に載置し、左右の手すりを把持すると共に、両足を足用載置部に載せる。この際、入浴者の姿勢は、リクライニングシートに腰掛けたような姿勢となると共に、入浴者は、この状態で上半身の背面側にジェット噴流器のジェット噴流の圧力を間近で受け、さらに足裏にジェット噴流が当たって足裏を刺激することになる。
【００１３】
このため、上半身とジェット噴流器との適当な距離をとらざるを得ない。この距離は、全身の力を抜いて浴槽の湯の浮力及びジェット噴流の圧力に任せれば容易に得ることができる。この距離をとることで、入浴者の身体は、結果的に、且つ、必然的に、全身を緩やかに伸ばしてリクライニングシートに腰掛けたような姿勢のまま自然に浮遊した状態になる。この状態は、浮こうとして浮くのではなく、あくまで自然であり、この姿勢を保持するにあたって入浴者自らの力は何ら不要である。入浴すれば、入浴者の体型や身長に関係なく誰もが自然に且つ容易に得られる本願特有の状態であり、リラックスして長時間の入浴も可能になる。なお、この際、入浴者の身体は、リクライニングシートに腰掛けたような状態で浮遊するため、入浴者の身体の一部が湯面から露出することはなく、見苦しくない。
【００１４】
さらに、上記浮遊状態においては、入浴者の上半身と上半身用傾斜面との間に傾斜角度が形成されることになる。この傾斜角度は、ジェット噴流器の噴流が流体であることから入浴者が下顎と首筋との距離を調整することで自在に調整できる。即ち、浮遊している入浴者の上半身は、浴槽の湯面側、及び、上半身用傾斜面側のどちらにも充分移動できる位置に位置している。よって、入浴者は、背筋の回動に際して、浴槽の湯面側、あるいは、浴槽の上半身用傾斜面側への回動方向が規制されることなく柔軟に対応できる。このため、入浴者は、下顎による首筋の圧迫が回避されると共に、下顎の仰け反ることによる首筋への負担も防止される。なお、上記浮遊状態においては、下顎と首筋との距離は自然に調整されており、下顎による首筋の圧迫も、下顎の仰け反ることによる首筋への負担も全くない。
【００１５】
さらに、入浴者の上半身は、ジェット噴流によって浴槽に浮遊した状態が保持されているが、頭部が頭部用載置部で支持されると共に、両足が足用載置部に載せられて、上下方向のバランスが保持される一方、左右方向のバランスが手すりを把持することによって保持されるため、全身が安定した状態で支持されることになる。
【００１６】
よって、入浴者は、安定した状態で、且つ、リラックスした状態で、ジェット噴流器によって上半身がマッサージされることになり、血行促進が図られると共に、新陳代謝が活発になり、精神的な開放感も充分に満喫できる。
【００１７】
さらに、例えば、俯つ伏せの状態で入浴する場合、両脚の膝を曲げて浴槽の凹部底面に着け、入浴者の上半身の前面側を上半身用傾斜面に凭れ掛けさせ、上半身の前面側を上半身用傾斜面の近傍で対向させると、上半身の下腹部がジェット噴流によって刺激され、下腹部の余分な脂肪が除去できて、下腹部の贅肉がとれ、下腹部が引き締まり、ダイエット効果が得られる。
【００１８】
また、請求項２に示す如く、上半身用傾斜面の角度を、水平線に対して４０度〜７０度の範囲にするのが好ましい。
【００１９】
そうすれば、この傾斜角度によって、入浴者の上半身がリクライニングできるようになると共に、手すりを把持した両手、及び、足用載置部に載せた両足を使って、入浴者の上半身を浴槽の上半身用傾斜面から離脱させやすくなる。
【００２０】
さらに、請求項３に示す如く、上半身用傾斜面に対してジェット噴流器の噴出口の軸線が垂直になるように埋設するのがより好ましい。
【００２１】
この場合、上半身用傾斜面に凭れ掛けさせた入浴者の上半身に対して略垂直にジェット噴流することで、入浴者の上半身を浴槽の湯面側に押し上げやすくなる。
【００２２】
特に本願発明では、足用載置部に載置された足裏と、該足裏に対向する浴槽の凹部側面とが略平行するように足用載置部の高さを設定し、足裏に対向する浴槽の凹部側面に、複数の足裏用ジェット噴流器を設けるようにしている。
【００２３】
よって、仰向け状態の入浴者の足裏を足裏用ジェット噴流器の噴出口の近傍に対向させれば、足裏に対して略垂直にジェット噴流が行われ、足裏が高圧力のジェット噴流で刺激され、上半身のマッサージ効果に加えて、足裏のマッサージ効果も得られるようになる。
【００２４】
また、浴槽の開口部から上半身用傾斜面の上端部に向けて下降傾斜した洗浄用傾斜面を形成するのが望ましい。
【００２５】
この場合、浴槽の湯を洗浄用傾斜面側に向かって流せば、洗浄用傾斜面の傾斜角度によって、流した湯が頭部用載置部に戻されることになり、頭部用載置部を洗い流すことができる。
【００２６】
さらに、放熱性の良好な円柱体からなる頭部用載置部の一部の周面を、上半身用傾斜面、又は、上半身用傾斜面から洗浄用傾斜面にかけて露出するようにしてもよい。
【００２７】
よって、下顎と首筋との距離を調整する際、入浴者の頭部が頭部用載置部の周面に沿って移動できるため、頭部の移動が頭部用載置部によって規制されることがなく、下顎と首筋との距離の調整がより円滑に行われることになる。さらに、頭部用載置部によって頭部を冷やすことができ、長時間の入浴が可能になり、充分に休息できる。
【００２８】
加えて、上半身用傾斜面において入浴者の入浴姿勢をとるための空間を確保できるように、上半身用傾斜面の下端部に切欠部を形成するのがよい。
【００２９】
そうすれば、上半身用傾斜面の下端部に形成された切欠部によって、上半身用傾斜面が浴槽の底面にまで達することはなく、上半身用傾斜面によって入浴者の入浴姿勢が規制されることはない。例えば、入浴者が仰向けの状態で入浴した場合、入浴者の上半身の腰部が切欠部に位置することで、ゆったりと脚を伸ばせるようになる。また、入浴者が俯つ伏せの状態で入浴した場合、入浴者の折り曲げた膝頭が、上半身用傾斜面の近傍に位置することになり、上半身の腰部の位置が低くなることで、俯つ伏せの姿勢をとるための重心が低くなり、俯つ伏せの状態の上半身が上半身用傾斜面に凭れ掛けやすくなると共に、俯つ伏せの姿勢が安定した状態で保持されることになる。
【００３０】
勿論、この切欠部がなくても、浴槽における入浴者の入浴姿勢を確保できているが、上半身用傾斜面が浴槽の底面まで達した場合、傾斜面であるが故に、入浴者の入浴姿勢が、上半身用傾斜面と足用載置部とによって規制され、足腰を自由に伸ばすことができず、入浴者の入浴姿勢を充分に確保できない場合もあるため、入浴者の入浴姿勢をより確実に確保するための手段である。
【００３１】
また、浴槽の底部に、気泡生成器又は複数のジェット噴流器のいずれか一方を設けるのが望ましい。
【００３２】
そうすれば、入浴者の上半身のみならず、下半身のマッサージ効果が得られるようになり、より一層血行がよくなり、身体に溜まった老廃物もより多く排出されることになる。
【００３３】
【発明の実施の形態】
本発明の一実施形態について説明する。
本発明のジェット噴流器付き風呂は、浴槽に入浴した入浴者の上半身側に位置する浴槽の凹部側面に形成した上半身用傾斜面と、上半身用傾斜面に対向する浴槽の凹部側面に突設された足用載置部と、上半身用傾斜面の上部に設けた頭部用載置部と、上半身用傾斜面の左側及び右側に取り付けられた手すりと、上半身用傾斜面の下部に設けられた複数の上半身用ジェット噴流器とを備える。
【００３４】
そして、入浴者は、仰向け状態又は俯つ伏せ状態の上半身を、浴槽の上半身用傾斜面に凭れ掛けさせることができる。また、手すりを把持した両手、及び、足用載置部に載せた両足によって仰向け状態の入浴者の身体を支持できる。さらに、リクライニングシートに腰掛けた姿勢の入浴者の身体を、入浴者が全身の力を抜くだけでそのまま自然に浮遊させ、浮力と上半身用ジェット噴流器のジェット噴流の圧力とによって浮遊状態を保持させることで、入浴者をリラックスさせると共に、入浴者の身体の血行促進を図る。
【００３５】
【実施例】
つぎに本発明の一実施例の構成につき、図１を参照して説明する。開口部が略矩形状の浴槽１と、入浴者Ａの上半身側に位置する浴槽１の凹部後側面１ａに形成された上半身用傾斜面１０と、浴槽１の開口部から上半身用傾斜面１０の上端部にかけて形成された洗浄用傾斜面１５と、浴槽１の凹部後側面１ａにおいて上半身用傾斜面１０の下端部に形成された切欠部２０と、上半身用傾斜面１０に対向する浴槽１の凹部前側面１ｂの下部に突設された足用載置部２５と、上半身用傾斜面１０の上部に設けられた頭部用載置部３０と、上半身用傾斜面１０の左側及び右側にそれぞれ取り付けられた二本の手すり３５，３５と、浴槽１の凹部底面１ｄに設置された複数の気泡供給管４０ａ，…を有する気泡生成器４０と、上半身用傾斜面１０における頭部用載置部３０の下方に埋設された複数の上半身用ジェット噴流器４５，…と、浴槽の凹部前側面１ｂの上面に埋設された複数の足裏用ジェット噴流器５０，…とを備えている。
【００３６】
なお、浴槽１における各凹部側面１ａ〜１ｃは、仰向けの状態で浴槽１に入浴した入浴者Ａを基準として、入浴者Ａの上半身の背面側の凹部側面を凹部後側面１ａとし、上半身の前面側の凹部側面を凹部前側面１ｂとし、入浴者Ａの左側及び右側の凹部側面を凹部左側面１ｃ，凹部右側面１ｃとする。但し、この場合の浴槽１は、便宜上、一人の入浴者Ａを入浴させるものとするが、複数の入浴者Ａ，…を横一列に並べて入浴させるものであってもよい。
【００３７】
浴槽１は、コンクリート材が使用されており、浴槽１の深さ、浴槽１の湯面の大きさは既製の浴槽と略同一に形成されている。さらに、浴槽１の凹部後側面１ａには、図１を正面から見た場合、その側面が略台形状に骨組みされたフレーム５が埋設されている。なお、浴槽１の表面を合成樹脂やタイルによって覆うようにしてもよい。
【００３８】
上半身用傾斜面１０は、浴槽１の凹部後側面１ａに埋設されたフレーム５の傾斜に沿って形成されており、水平線に対して４０度〜７０度の傾斜角度を有し、この傾斜角度によって、仰向けの状態又は俯つ伏せの状態の入浴者Ａの上半身を上半身用傾斜面１０に凭れ掛けさせてゆったりと寛げる姿勢がとれるようになっている。
【００３９】
洗浄用傾斜面１５は、水平線に対して１０度〜１５度の範囲で傾斜しており、浴槽１から洗浄用傾斜面１５に向かって浴槽１の湯を流した際に、流した湯が洗浄用傾斜面１５によって浴槽１に流れ込むように構成され、浴槽１に流れ込む湯によって頭部用載置部３０が洗浄される。
【００４０】
切欠部２０は、その切欠面２０ａが浴槽１の凹部底面１ｄに対して直角になるように形成されているため、浴槽１の底部１ｅの形状が、上半身用傾斜面１０の切欠面２０ａと、浴槽１の凹部左側面１ｃ及び凹部右側面１ｃと、上半身用傾斜面１０に対向する足用載置部２５の前面２５ａと、浴槽１の凹部底面１ｄとによって平面視略矩形状の空間を呈している。
【００４１】
この空間によって、入浴者Ａの上半身の背面側を上半身用傾斜面１０に対峙させて仰向けの姿勢で入浴した際、入浴者Ａの体型や身長によって上半身用傾斜面１０と足用載置部２５の前面２５ａとで規制されることはなく、入浴者Ａは浴槽１でゆったりと寛げる。また、入浴者Ａの上半身の前面側を上半身用傾斜面１０に対峙させて俯つ伏せの姿勢で入浴した際、入浴者Ａの折り曲げた膝頭を上半身用傾斜面１０の下端部の近傍に位置させ、両肘を曲げた状態の両腕を身体の前方で略水平に位置させてこの両腕を頭部用載置部３０に載せて入浴できる。この際、俯つ伏せ状態の入浴者Ａの上半身を、洗浄用傾斜面１５に載せた両手、及び、膝頭を浴槽１の凹部底面１ｄに着けた両脚で安定した状態で支持することができると共に、俯つ伏せの状態の姿勢を長時間維持しやすくなる。
【００４２】
足用載置部２５は、略直方体形状を呈し、足用載置部２５に載置された足裏と、足裏に対向する浴槽１の凹部前側面１ｂとが略平行する高さを有し、足用載置部２５の上面２５ｂ（載置面）の上方に足用ジェット噴流器５０，…が設けられている。さらに、足用載置部２５の上面２５ｂ（載置面）において入浴者Ａの浮遊準備姿勢及び浮遊姿勢が形成されるような構成になっている。ここでいう浮遊準備姿勢とは、入浴者Ａの上半身を上半身用傾斜面１０に凭せ掛けると共に、入浴者Ａの頭部を頭部用載置部３０に載せ、さらに、足用載置部２５に膝を曲げた状態の両足の踵を載せると共に、手すり３５，３５を把持して上半身を上半身用傾斜面１０から少し離脱させた状態にすることをいう。また、浮遊姿勢とは、浮遊準備姿勢から全身の力を抜いてリラックスし、浴槽１の湯の浮力及び各上半身用ジェット噴流器４５，…によって、全身を緩やかに伸ばしてリクライニングシートに腰掛けたような姿勢のまま浮遊された状態のことをいう。
【００４３】
頭部用載置部３０は、放熱性の良好な円柱体からなり、一般的にはステンレス製の中空の円柱体が使用され、頭部用載置部３０の支柱３１，…が上半身用傾斜面１０に対して垂直方向に立設されている。さらに、頭部用載置部３０の周面の一部が、図示のような状態で露出している。即ち、頭部用載置部３０の軸線と、上半身用傾斜面１０及び洗浄用傾斜面１５の境界線とが一致し、上半身用傾斜面１０から洗浄用傾斜面１５にかけて２０５度〜２４０度の範囲で露出している。よって、入浴者Ａは、頭部用載置部３０の周面に頭部を載置した状態で、頭部用載置部３０の周面に沿って頭部を移動し、下顎と首筋との間隔を調整する。しかも、頭部用載置部３０は、放熱性がよく、入浴者Ａの頭部が熱せられず、長時間の入浴も可能になる。
【００４４】
手すり３５，３５は、ステンレス製の管体からなり、略台形状に折り曲げられ、その一端部が上半身用傾斜面１０に垂直方向に植設されると共に、別端部が切欠部２０の凹部側面２０ａに植設されている。手すり３５，３５を把持することによって入浴者Ａの身体の左右方向のバランスを保持し、入浴直後の着座姿勢、後述する浮遊準備姿勢及び浮遊姿勢を安定した状態で支持する。
【００４５】
気泡生成器４０は、複数の気泡供給管４１，…が浴槽１の凹部底面１ｄに左右方向に並設され、浴槽１の湯面側に位置する各気泡供給管４１，…の周面には、複数の気泡穴４２，…が軸線方向に一列に穿設され、各気泡穴４２，…から供給される気泡によって入浴者Ａの下半身をマッサージする。該気泡は、浴槽１の湯中を上昇するにしたがって大きくなり、入浴者Ａの下半身との接触面積が大きくなるように生成されている。４３は、各気泡供給管４１，…にバルブ４４を介して空気を供給するブロワーである。
【００４６】
上半身用ジェット噴流器４５，…は、その軸線が上半身用傾斜面１０に対して垂直になるようにフレーム５に取り付けられた直管４６，…と、該直管４６，…に設けられた噴射ノズル４７，…とから構成されている。上半身用ジェット噴流器４５，…の噴出口４８，…は、入浴者Ａの腰部にジェット噴流できる位置に位置している。４９，…は、浴槽１の凹部後側面１ａの上部に設けられた上半身用ジェット噴流器４５，…のエアー吸引口である。
【００４７】
足裏用ジェット噴流器５０，…は、浴槽１の凹部前側面１ｂに埋設された直管５１，…と、該直管５１，…に接続されたエルボ管５２，…と、該エルボ管５２，…に設けられた噴射ノズル５３，…とから構成されている。各足裏用ジェット噴流器５０，…の噴出口５４，…は、浴槽１の凹部前側面１ｂにおいて、足裏をマッサージできる位置、即ち各足裏用ジェット噴流器５０，…の噴出口５４，…の軸線が、足用載置部２５に載置された入浴者Ａの足裏に対して略垂直になるように設けられている。５５は、浴槽１の凹部前側面１ｂの上端面に設けられた足裏用ジェット噴流器５０，…のエアー吸引口、５６はポンプであり、バルブ５７及び集塵器５８を介して浴槽１の湯を吸引し、バルブ５９を介して各上半身用ジェット噴流器４５，…及び各足裏用ジェット噴流器５０，…に送出する。
【００４８】
つぎにジェット噴流器付き風呂の使用態様について説明する。まず、入浴者Ａが仰向けの状態で入浴した場合、図２に示すように、入浴者Ａの入浴直後の姿勢は、入浴者Ａの上半身を浴槽１の上半身用傾斜面１０に凭れ掛けさせ、頭部を頭部用載置部３０に載置し、両手で左右の手すり３５，３５を把持し、両脚の膝を曲げて、両足の踵を浴槽１の足用載置部２５に着けて載せた状態になっている。この際、入浴者Ａの姿勢は、リクライニングシートに腰掛けた姿勢になっている一方、入浴者Ａの上半身の背面側の間近で、各上半身用ジェット噴流器４５，…のジェット噴流を受けることになる。
【００４９】
よって、入浴者Ａは、各上半身用ジェット噴流器４５，…との距離をとろうとして、必然的に全身から力を抜いて浴槽１の湯の浮力、及び、ジェット噴流器４５，…のジェット噴流の圧力に身体を任せる。その結果、入浴者Ａの身体は、浴槽１の湯の浮力、及び、各上半身用ジェット噴流器４５，…のジェット噴流の圧力によって自然に浮遊することになる。この時、入浴者Ａの上半身と各上半身用ジェット噴流器４５，…の噴出口４８，…との距離が適当に調整されており、下顎と首筋との距離もうまく調整できている。さらに、入浴者Ａの上半身が、各上半身用ジェット噴流器４５，…のジェット噴流によって浴槽１の湯面側に押し上げられ、入浴者Ａの浮遊した状態が保持されることになる。
【００５０】
一方、浮遊した状態においては、足用載置部２５に載置された入浴者Ａの足裏が足裏用ジェット噴流器５０，…の噴出口５４，…の近傍に移動し、足裏と足裏用ジェット噴流器５０，…の噴出口５４，…とが対向するようになり、足裏にジェット噴流が行われて足裏のマッサージが可能になる。
【００５１】
また、浮遊した状態においては、入浴者Ａの上半身と上半身用傾斜面１０との間に傾斜角度が形成されており、この傾斜角度は、入浴者Ａによって、首筋を支点として背筋を浴槽１の湯面側及び上半身用傾斜面１０側に回動させることで自在に調整できる。よって、下顎による首筋の圧迫、及び、下顎の仰け反ることによる首筋への負担もなく、リクライニングシートに腰掛ける姿勢で浮遊することになり、全身がリラックスした状態になる。
【００５２】
つぎに、入浴者Ａが俯つ伏せの状態で入浴した場合、図３に示すように、入浴者Ａの入浴した直後の姿勢は、曲げた状態の両脚の膝頭を上半身用傾斜面１０の切欠部２０に位置させると共に、浴槽１の凹部底面１ｄに着ける一方、両肘を曲げた状態の両腕を身体の前方で略水平に位置させてこの両腕を頭部用載置部３０に載せ、さらに、頭部用載置部３０に載せた両腕に下顎を載置すると共に、上半身用傾斜面１０に上半身をやや凭れ掛けさせた状態にすれば、両手を身体の前方で組んで頭部用載置部３０に載せ、両手の上に下顎を載置し、上半身を上半身用傾斜面１０に凭れ掛けさせ、曲げた状態の膝頭を上半身用傾斜面１０の切欠部２０に位置させると共に、浴槽１の凹部底面１ｄに着け、上半身用傾斜面１０に凭せ掛けた上半身の重心を低くし、上半身を安定した状態で、上半身用ジェット噴流器４５，…の噴出口４８，…の近傍に上半身の下腹部を位置させ、上半身の下腹部にジェット噴流を当てるようにする。
【００５３】
そうすれば、上半身の下腹部に対してジェット噴流が略垂直に行われて、ジェット噴流によって上半身の下腹部が刺激され、上半身の下腹部の余分な脂肪が除去されて、スリムな体型作りに有効である。
【００５４】
このように、本発明のジェット噴流器付き風呂によれば、入浴者Ａは、仰向けの状態、俯つ伏せの状態でも入浴できる。そして、仰向けの状態の際には、肉体的及び精神的なリラックス効果、及び、全身のマッサージ効果が得られる。俯つ伏せの状態の際には、上半身の下腹部のマッサージ効果、及び、ダイエット効果が得られるようになる。
【００５５】
なお、前記実施例の場合、上半身用傾斜面１０の傾斜角度を、４０度〜７０度の範囲としたが、好ましくは５５．２度である。
【００５６】
また、前記実施例の場合、洗浄用傾斜面１５の傾斜角度を、１０度〜１５度の範囲としたが、好ましくは１２．９度である。
【００５７】
さらに、前記実施例の場合、足用載置部２５の形状を略直方体形状としたが、上述した入浴者Ａの浮遊準備姿勢及び浮遊姿勢をとれる高さの位置に平板状の足用載置部２５を設けてもよい。
【００５８】
加えて、前記実施例の場合、頭部用載置部３０の位置は、頭部用載置部３０の軸線と、浴槽１の上半身用傾斜面１０及び洗浄用傾斜面１５の境界線とが一致する位置に設けたが、この位置が上半身用傾斜面１０において上方又は下方に１０ｃｍ程度ずれてもよい。要するに、入浴者Ａの頭部が浴槽１の湯面から露出し、頭部が頭部用載置部３０の周面に沿って移動でき、下顎と首筋との距離の調整が行われる位置であればよい。但し、頭部用載置部３０を洗浄して清潔にするためには、頭部用載置部３０の一部の周面を湯面から２ｃｍ程度露出させて、洗浄用傾斜面１５によって戻される湯を受けるべく、上半身用傾斜面３０と洗浄用傾斜面１５との境界線、もしくは、上半身用傾斜面３０の上端部に位置させるのが好ましい。
【００５９】
また、前記実施例の場合、頭部用載置部３０の形状を中空の円柱体としたが、樋形状であってもよい。要するに、頭部用載置部３０の形状は、露出する部位が曲面であって、且つ、その曲面によって、下顎と首筋との距離を調整すべく、入浴者Ａの頭部が移動できればよい。また、入浴者Ａの頭部をより強制的に冷やすために、頭部用載置部３０の内部に通水するようにしてもよい。
【００６０】
さらに、手すり３５，３５の折り曲げ加工は、図示に限定されるものではなく、例えば、コ字形状に折り曲げてもよい。要するに、手すり３５，３５によって、入浴者Ａの上半身を上半身用傾斜面１０から離脱でき、且つ、浮遊した入浴者Ａの身体をバランスよく安定した状態で支持できればよい。
【００６１】
加えて、前記実施例の場合、複数の気泡供給管４１，…を有する気泡生成器４０としたが、複数の気泡穴が穿設された平面視略矩形状の気泡マットであってもよい。また、気泡生成器４０の代わりに複数のジェット噴流器を浴槽１の凹部底面１ｄに設けてもよい。
【００６２】
【発明の効果】
以上説明したように、本発明のジェット噴流器付き風呂は、入浴者の上半身側に位置する浴槽の凹部側面に形成された上半身用傾斜面と、上半身用傾斜面に対向する浴槽の凹部側面に突設された足用載置部と、上半身用傾斜面の上部に設けられた頭部用載置部と、上半身用傾斜面の左側及び右側に取り付けられた手すりと、上半身用傾斜面における頭部用載置部の下方に設けられた複数の上半身用ジェット噴流器とを備え、そしてさらに足用載置部は、足用載置部に載置された足裏と、該足裏に対向する浴槽の凹部側面とが略平行する高さを有し、足裏に対向する浴槽の凹部側面には、複数の足裏用ジェット噴流器が設けられてなるため、仰向けの状態の入浴者が、リクライニングシートに着座したような姿勢で湯中に自然に浮遊させてリラックスさせることができることに加え、ジェット噴流器による上半身の背面側及び前面側のマッサージ効果が得られる。
【００６３】
また、ジェット噴流器で足裏を刺激してマッサージすることで、より一層血行促進が図れる。
【００６４】
さらに、浴槽の開口部から上半身用傾斜面の上端部に向けて下降傾斜した洗浄用傾斜面を形成するようにした本発明のジェット噴流器付き風呂においては、浴槽の湯を洗浄用傾斜面によって浴槽に戻すことで、頭部用載置部の洗浄を有効に行うことができる。
【００６５】
加えて、浴槽の上半身用傾斜面において入浴者の入浴姿勢をとるための空間を確保できるように、上半身用傾斜面の下端部に切欠部を形成するようにした本発明のジェット噴流器付き風呂においては、入浴者が仰向けの状態、又は、俯つ伏せの状態であっても、浴槽の底部においてゆったりとした姿勢をとることができる。
【００６６】
また、浴槽の底部に、気泡生成器又は複数のジェット噴流器のいずれか一方を設けた本発明のジェット噴流器付き風呂においては、入浴者の下半身のマッサージ効果が得られる。
【図面の簡単な説明】
【図１】本発明のジェット噴流器付き風呂を示した側断面図である。
【図２】仰向けの状態で入浴した態様を示す図である。
【図３】俯つ伏せの状態で入浴した態様を示す図である。
【符号の説明】
１  浴槽
１ａ  凹部後側面
１ｂ  凹部前側面
１ｃ  凹部左側面及び凹部右側面
１ｄ  凹部底面
１ｅ  底部
５  フレーム
１０  上半身用傾斜面
１５  洗浄用傾斜面
２０  切欠部
２０ａ  切欠面
２５  足用載置部
２５ａ  前面
２５ｂ  載置面
３０  頭部用載置部
３１  支柱
３５  手すり
４０  気泡生成器
４１  気泡供給管
４２  気泡穴
４３  ブロワー
４４、５７  バルブ
４５  上半身用ジェット噴流器
４６、５１  直管
４７、５３  噴流ノズル
４８、５４  噴出口
４９、５５  エアー吸引口
５０  足裏用ジェット噴流器
５２  エルボ管
５６  ポンプ
５７  バルブ
５８  集塵器
５９  バルブ
Ａ  入浴者
【図１】
0004024560.tif 000002
【図２】
0004024560.tif 000003
【図３】
0004024560.tif 000004